(57)【要約】【課題】  譜面立てとして使用しないときにも活用できる譜面立てを提供する。【解決手段】  譜面が立て掛けられる平板状の譜面立て本体部７と、この譜面立て本体部７に設けられて横長形状の楽器ケース１の取付凹部５に着脱可能に挿入して譜面立て本体部７を楽器ケース１上に起立させる譜面立て取付部８とを備えた譜面立て４において、譜面立て本体部７に楽器ケース１が挿入する楽器挿入孔９を設けた。従って、譜面立て取付部８を楽器ケース１の取付凹部５に挿入させて譜面立て本体部７を起立させると、この起立した譜面立て本体部７に譜面を立て掛けることができる。また、演奏しないときには、譜面立て本体部７に設けられた楽器挿入孔９に楽器ケース１を挿入させることにより、この譜面立て本体部７を楽器収納時の台座として活用することができる。【選択図】        図４
2008040047.tif 000002
【特許請求の範囲】
【請求項１】
譜面が立て掛けられるほぼ平板状の譜面立て本体部と、この譜面立て本体部に設けられ、横長形状の楽器本体に設けられた取付凹部に着脱可能に挿入して前記譜面立て本体部を前記楽器本体上に起立させる譜面立て取付部とを備えた譜面立てにおいて、
前記譜面立て本体部に前記楽器本体が挿入する楽器挿入孔を設けたことを特徴とする譜面立て。
【請求項２】
前記譜面立て本体部には、棒状の複数の脚部がそれぞれ取り付けられる複数の脚取付部が設けられていることを特徴とする請求項１に記載の譜面立て。
【請求項３】
前記譜面立て本体部には、前記楽器挿入孔から前記譜面が抜け落ちるのを防ぐための抜止め部材が、前記楽器挿入孔に対し開閉可能に取り付けられていることを特徴とする請求項１または２に記載の譜面立て。
【請求項４】
譜面が立て掛けられるほぼ平板状の譜面立て本体部と、この譜面立て本体部に設けられ、横長形状の楽器本体に設けられた取付凹部に着脱可能に挿入して前記譜面立て本体部を前記楽器本体上に起立させる譜面立て取付部とを備えた譜面立てにおいて、
前記譜面立て本体部の一面に、前記楽器本体に設けられた嵌合凹部に着脱可能に嵌合する嵌合支持部が設けられていることを特徴とする譜面立て。
【請求項５】
前記嵌合支持部が前記一面に設けられた前記譜面立て本体部の他面には、複数の脚凸部が設けられていることを特徴とする請求項４に記載の譜面立て。
【請求項６】
前記譜面立て本体部には、前記嵌合支持部を前記楽器本体の前記嵌合凹部に嵌合させたときに、前記楽器本体を前記譜面立て本体部に対し起立させた状態で支持する支持部材が、折り畳み可能に取り付けられていることを特徴とする請求項４または５に記載の譜面立て。
【発明の詳細な説明】
【技術分野】
【０００１】
この発明は、電子ピアノ、琴、木琴などの横長形状の楽器に用いられる譜面立てに関する。
【背景技術】
【０００２】
例えば、電子ピアノなどの横長形状の鍵盤楽器に用いられる譜面立ては、特許文献１に記載されているように、平板をほぼＬ字形状に折り曲げ、その下側の先端部を楽器ケースの背面に設けられた取付凹部に差込むことにより、上側の譜面立て本体部を楽器ケースの背面側に起立させ、この起立した譜面立て本体部に譜面を立て掛けるように構成されている。
【特許文献１】特開２００１−９２４５８号
【発明の開示】
【発明が解決しようとする課題】
【０００３】
このような従来の譜面立てにおいては、使用しないときに、楽器ケースの背面から取り外して楽器ケースの下面に着脱可能に収納されるように構成されているだけであり、十分に活用されていないのが現状である。
【０００４】
この発明が解決しようとする課題は、譜面立てとして使用しないときにも活用することができる譜面立てを提供することである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
【０００６】
請求項１に記載の発明は、図１〜図２０に示すように、譜面（６）が立て掛けられるほぼ平板状の譜面立て本体部（７）と、この譜面立て本体部に設けられ、横長形状の楽器本体（楽器ケース１）に設けられた取付凹部（５）に着脱可能に挿入して前記譜面立て本体部を前記楽器本体上に起立させる譜面立て取付部（８）とを備えた譜面立てにおいて、
前記譜面立て本体部に前記楽器本体が挿入する楽器挿入孔（９）を設けたことを特徴とする譜面立てである。
【０００７】
請求項２に記載の発明は、図６〜図１８に示すように、前記譜面立て本体部（７）に、棒状の複数の脚部（１３）がそれぞれ取り付けられる複数の脚取付部（１２）が設けられていることを特徴とする請求項１に記載の譜面立てである。
【０００８】
請求項３に記載の発明は、図１６〜図２０に示すように、前記譜面立て本体部（７）に、前記楽器挿入孔（９）から前記譜面（６）が抜け落ちるのを防ぐための抜止め部材（抜止め板２２、または抜止め棒２５）が、前記楽器挿入孔に対し開閉可能に取り付けられていることを特徴とする請求項１または２に記載の譜面立てである。
【０００９】
請求項４に記載の発明は、図２１〜図３２に示すように、譜面（６）が立て掛けられるほぼ平板状の譜面立て本体部（７）と、この譜面立て本体部に設けられ、横長形状の楽器本体（楽器ケース１）に設けられた取付凹部（５）に着脱可能に挿入して前記譜面立て本体部を前記楽器本体上に起立させる譜面立て取付部（８）とを備えた譜面立てにおいて、
前記譜面立て本体部の一面に、前記楽器本体に設けられた嵌合凹部（３３、４３、５７）に着脱可能に嵌合する嵌合支持部（嵌合突起部３２、嵌合支持部４２）が設けられていることを特徴とする譜面立てである。
【００１０】
請求項５に記載の発明は、図２１〜図２６、図３０〜図３２に示すように、前記嵌合支持部（３２）が前記一面に設けられた前記譜面立て本体部（７）の他面に、複数の脚凸部（３４）が設けられていることを特徴とする請求項４に記載の譜面立てである。
【００１１】
請求項６に記載の発明は、図３０〜図３２に示すように、前記譜面立て本体部（７）に、前記嵌合支持部（３２）を前記楽器本体の前記嵌合凹部（５７）に嵌合させたときに、前記楽器本体（楽器ケース１）を前記譜面立て本体部に対し起立させた状態で支持する支持部材（５２）が、折り畳み可能に取り付けられていることを特徴とする請求項４または５に記載の譜面立てである。
【発明の効果】
【００１２】
請求項１に記載の発明によれば、ほぼ平板状の譜面立て本体部に設けられた譜面立て取付部を楽器本体の取付凹部に着脱可能に挿入して、譜面立て本体部を楽器本体上に起立させると、演奏するときに、起立した譜面立て本体部に譜面を立て掛けることができ、また演奏しないときには、楽器本体の取付凹部から譜面立て取付部を取り外して、譜面立て本体部に設けられた楽器挿入孔に楽器本体を挿入させることにより、譜面立ての紛失を防ぐことができると共に、楽器収納時の台座として活用することができる。
【００１３】
すなわち、譜面立て本体部の楽器挿入孔に楽器本体を挿入させると、譜面立て本体部が楽器本体の周囲に鍔状に突出するので、この鍔状に突出した譜面立て本体部によって楽器本体を横長状態に傾けたり、横長状態に立て掛けたりすることができ、これにより楽器本体の不用意な転倒を防ぐことができるので、楽器本体を安定させた状態で押し入れなどに収納することができる。
【００１４】
請求項２に記載の発明によれば、ほぼ平板状の譜面立て本体部に、棒状の複数の脚部が取り付けられる複数の脚取付部が設けられていることにより、譜面立てとして使用しないときに、譜面立て本体部に設けられた複数の脚取付部に複数の脚部をそれぞれ取り付けると、この複数の脚部によって譜面立て本体部をほぼ水平に保持することができる。このため、複数の脚部で保持された譜面立て本体部の上方から楽器本体を譜面立て本体部の楽器挿入孔に挿入させると、楽器本体を縦長状態で立て掛けることができると共に、複数の脚部で保持された譜面立て本体部上に楽器本体を載置すると、演奏するときのスタンドとしても使用することができる。
【００１５】
この場合、譜面立てを２枚用意し、この２枚の譜面立ての各譜面立て本体部を複数の脚部の両端部にそれぞれ取り付ければ、スタンドとしての構造上の強度を高めることができ、これにより楽器本体を縦長状態に立て掛けるとき、または演奏時に楽器本体を載置するスタンドとして使用するときの安定度を高めることができ、より一層、良好に使用することができる。
【００１６】
請求項３に記載の発明によれば、ほぼ平板状の譜面立て本体部に、楽器挿入孔から譜面が抜け落ちるのを防ぐための抜止め部材が、楽器挿入孔に対し開閉可能に設けられていることにより、譜面立て本体部の楽器挿入孔に楽器本体を挿入しやすくするために、楽器挿入孔を譜面立て本体部に十分に広く設けても、譜面立てとして使用するときに、抜止め部材を楽器挿入孔に対応させて配置することにより、この抜止め部材によって譜面が楽器挿入孔を通して脱落するのを防ぐことができ、これにより良好に譜面を立て掛けて使用することができる。
【００１７】
請求項４に記載の発明によれば、ほぼ平板状の譜面立て本体部に設けられた譜面立て取付部を楽器本体の取付凹部に着脱可能に挿入して、譜面立て本体部を楽器本体上に起立させると、請求項１に記載の発明と同様、演奏するときに、起立した譜面立て本体部に譜面を立て掛けることができ、また演奏しないときには、楽器本体の取付凹部から譜面立て取付部を取り外して、譜面立て本体部の一面に設けられた嵌合支持部を、楽器本体に設けられた嵌合凹部に着脱可能に嵌合させることにより、譜面立ての紛失を防ぐことができると共に、楽器収納時の台座として活用することができる。
【００１８】
すなわち、譜面立て本体部の嵌合支持部を楽器本体の嵌合凹部に嵌合させると、譜面立て本体部が楽器本体の台座として使用することができるので、譜面立て本体部の他面を床などの載置面に配置すると、楽器本体を横長状態で立て掛けることができ、これにより楽器本体の不用意な転倒を防ぐことができるので、楽器本体を安定させた状態で押し入れなどに収納することができる。
【００１９】
請求項５に記載の発明によれば、嵌合支持部が一面に設けられた譜面立て本体部の他面に、複数の脚凸部が設けられていることにより、譜面立て本体部の嵌合支持部を楽器本体の嵌合凹部に嵌合させて、譜面立て本体部を楽器本体の台座として使用するときに、譜面立て本体部の他面に設けられた複数の脚凸部を載置面に配置して、譜面立て本体部を床などの載置面上に安定させて配置することができ、これにより、より一層、楽器本体の不用意な転倒を防ぐことができるので、楽器本体を横長状態で安定させた状態で立て掛けることができる。
【００２０】
請求項６に記載の発明によれば、ほぼ平板状の譜面立て本体部に、嵌合支持部を楽器本体の嵌合凹部に嵌合させたときに、楽器本体を譜面立て本体部に対し起立させた状態で支持する支持部材が、折り畳み可能に取り付けられていることにより、譜面立て本体部に支持部材を起立させると、この支持部材で楽器本体を譜面立て本体部上に横長状態で立て掛けることができる。このため、楽器本体の嵌合凹部に譜面立て本体部の嵌合支持部を嵌合させたときの嵌合状態が不充分であっても、楽器本体を譜面立て本体部上に確実に立て掛けることができる。また、譜面立てとして使用するときには、譜面立て本体部に立て掛けられる譜面の邪魔にならないように、支持部材をコンパクトに折り畳むことがきる。
【発明を実施するための最良の形態】
【００２１】
（実施形態１）
以下、図１〜図５を参照して、この発明の譜面立てを鍵盤楽器に適用した実施形態１について説明する。
図１はこの発明の譜面立てを鍵盤楽器に取り付けて使用する状態を示した斜視図、図２はその鍵盤楽器の斜視図、図３は図１の譜面立てを示した斜視図、図４および図５は譜面立ての他の使用状態を示した各斜視図である。
【００２２】
この鍵盤楽器は、図１および図２に示すように、横方向に長い楽器ケース１を備えている。この楽器ケース１の手前側には、白鍵および黒鍵などの鍵２ａが多数配列された鍵盤部２が楽器ケース１の両側部を除いて設けられている。また、この楽器ケース１の背面側に位置する両側上面には、スピーカ部３がそれぞれ設けられている。さらに、この楽器ケース１の背面側に位置する上面には、図２に示すように、譜面立て４を取り付けるための溝状の取付凹部５が設けられている。
【００２３】
譜面立て４は、図１および図３に示すように、譜面６が立て掛けられる譜面立て本体部７と、この譜面立て本体部７の下端部に設けられて楽器ケース１の取付凹部５に着脱可能に挿入する譜面立て取付部８とが一体に形成された構成になっている。この場合、譜面立て本体部７は、図１および図３に示すように、長方形状の平板状に形成されている。譜面立て取付部８は、図３に示すように、譜面立て本体部７に対し鈍角（例えば１２０°前後）に傾斜して設けられた譜面載置部８ａと、この譜面載置部８ａの先端部にほぼ垂直に設けられて楽器ケース１の取付凹部５に挿入する取付突起部８ｂとが一体に形成された構成になっている。
【００２４】
これにより、譜面立て４は、譜面立て取付部８の取付突起部８ｂが楽器ケース１の取付凹部５に挿入して取り付けられると、図１に示すように、譜面立て本体部７が楽器ケース１上に少し後部側に傾いた状態で起立して配置されるように構成されている。また、この譜面立て本体部７には、図３〜図５に示すように、楽器ケース１が挿入する楽器挿入孔９が設けられている。この楽器挿入孔９は、図３に示すように、楽器ケース１の断面形状よりも十分に広いほぼ台形状に形成され、その上辺部に楽器ケース１の上面に当接可能な当接突起部９ａが設けられている。この当接突起部９ａは、先端が平坦な逆山形状に形成され、楽器ケース１の上面に当接しても、鍵盤部２の鍵２ａに接触しないように形成されている。
【００２５】
このような譜面立て４によれば、演奏するときに、図１に示すように、平板状の譜面立て本体部７の下端部に設けられた譜面立て取付部８の取付突起部８ｂを、図２に示す楽器ケース１の背面側に位置する上面に設けられた取付凹部５に着脱可能に挿入すると、譜面立て本体部７が楽器ケース１の後部側上面に後方に少し傾いた状態で起立するので、この起立した譜面立て本体部７に譜面６を立て掛けることができる。
【００２６】
また、演奏しないときには、譜面立て４の譜面立て取付部８の取付突起部８ｂを楽器ケース１の取付凹部５から抜き出して、譜面立て４を楽器ケース１から取り外し、図４および図５に示すように、この譜面立て４の譜面立て本体部７に設けられた楽器挿入孔９に楽器ケース１を挿入させることにより、譜面立て４の紛失を防ぐことができると共に、譜面立て４を楽器収納時の台座として活用することができる。
【００２７】
すなわち、この譜面立て４は、譜面立て本体部７の楽器挿入孔９に楽器ケース１を挿入させると、図４および図５に示すように、譜面立て本体部７が楽器ケース１の周囲に鍔状に突出するので、この鍔状に突出した譜面立て本体部７によって図４に示すように楽器ケース１を横長状態に傾けたり、図５に示すように楽器ケース１を横長状態に立てたりすることができる。これにより、楽器ケース１の不用意な転倒を防ぐことができるので、楽器ケース１を安定させた状態で押し入れなどに収納することができる。
【００２８】
（実施形態２）
次に、図６〜図１２を参照して、この発明の譜面立てを鍵盤楽器に適用した実施形態２について説明する。なお、図１〜図５に示された実施形態１と同一部分には同一符号を付して説明する。
この譜面立て１１は、譜面立て本体部７の四隅に脚取付部１２をそれぞれ設け、この脚取付１２にそれぞれ棒状の脚部１３を着脱可能に取り付けた構成であり、これ以外は実施形態１とほぼ同じ構成になっている。
【００２９】
すなわち、譜面立て本体部７の四隅に設けられた脚取付部１２は、図６および図７に示すように、四角形状の角孔である。また、脚部１３は、図８および図９に示すように、金属製または合成樹脂制のパイプ、あるいは木製の棒であり、その外径が脚取付部１２の角孔よりも大きく形成され、その端部に脚取付部１２の角孔に嵌合する四角形状の角柱部１４が設けられた構成になっている。
【００３０】
これにより、棒状の脚部１３は、図８および図９に示すように、先端部の角柱部１４を譜面立て本体部７の脚取付部１２の角孔に嵌め込むと、脚部１３の外周部における縁部が脚取付部１２の角孔の縁部に当接し、図９に示すように、譜面立て本体部７をほぼ水平に保持するように構成されている。この場合、４本の脚部１３は、図１０に示すように、楽器ケース１の下面に設けられた脚収納部１５に着脱可能に収納されるように構成されている。
【００３１】
このような譜面立て１１によれば、実施形態１とほぼ同様の作用効果があるほか、特に譜面立て本体部７の四隅に棒状の複数の脚部１３を取り付けるための複数の脚取付部１２が設けられているので、譜面立て１１として使用しないときに、図９に示すように、譜面立て本体部７の四隅に設けられた複数の脚取付部１２に複数の脚部１３をそれぞれ取り付けると、この複数の脚部１３によって譜面立て本体部７をほぼ水平に保持することができる。
【００３２】
このときには、譜面立て本体部７の四隅に設けられた脚取付部１２が、図６および図７に示すように、四角形状の角孔であり、脚部１３が、図８および図９に示すように、その外径が脚取付部１２の角孔よりも大きく形成された棒状で、この棒状の端部に脚取付部１２の角孔に嵌合する四角形状の角柱部１４が設けられた構成であるから、各脚部１３の角柱部１４を譜面立て本体部７の脚取付部１２の角孔に嵌め込むだけで、簡単に脚部１３を譜面立て１１に取り付けることができる。
【００３３】
このように、この譜面立て１１によれば、譜面立て本体部７に複数の脚部１３を取り付けて、この複数の脚部１３で譜面立て本体部７をほぼ水平に保持すると、図９に示すように、傘立てのような構成になる。このため、譜面立て本体部７の上方から楽器ケース１を譜面立て本体部７の楽器挿入孔９に挿入すると、図１１に示すように、楽器ケース１を縦長状態に立て掛けることができる。また、複数の脚部１３で保持された譜面立て本体部７上に楽器ケース１を載置すると、図１２に示すように、演奏するときのスタンドとしても使用することができる。
【００３４】
さらに、この譜面立て１１では、図１０に示すように、複数の脚部１３が楽器ケース１の下面に設けられた脚収納部１５に着脱可能に収納されることにより、複数の脚部１３を使用しないときに、複数の脚部１３を楽器ケース１の脚収納部１５に簡単に収納することができるので、携帯時に複数の脚部１３が邪魔にならず、コンパクトに携帯することができ、これにより使い勝手の良いものを提供することができる。
【００３５】
なお、上記実施形態２では、譜面立て４を１枚用いた場合について述べたが、これに限らず、例えば図１３〜図１５に示す変形例のように、譜面立て４を２枚用いても良い。この場合には、楽器ケース１の背面側に位置する上面に２つの取付凹部５を連続させて設ければ、２枚の譜面立て１１を楽器ケース１上に並べて取り付けることができるほか、特に２枚の譜面立て１１の各譜面立て本体部７を４本の脚部１３の両端部にそれぞれ取り付けることにより、実施形態２と同様、譜面立て１１として使用する以外にも活用することができる。
【００３６】
すなわち、２枚の譜面立て１１の各譜面立て本体部７を４本の脚部１３の両端部にそれぞれ取り付けると、図１３および図１４に示すように、傘立てのように楽器ケース１を縦長状態で立て掛けることができると共に、複数の脚部１３で保持された譜面立て本体部７上に楽器ケース１を載置すると、図１５に示すように、演奏するときのスタンドとしても使用することができる。この場合には、４本の脚部１３の両端部に２枚の譜面立て１１の各譜面立て本体部７が取り付けられているので、実施形態２よりも構造上の強度を高めることができ、より一層、楽器ケース１を安定させた状態で確実に保持することができる。
【００３７】
また、上記実施形態２およびその変形例では、譜面立て１１の譜面立て本体部７の四隅に脚取付部１２を設けて、４本の脚部１３を取り付けるように構成した場合について述べたが、必ずしも譜面立て本体部７の四隅に脚取付部１２を設ける必要はなく、譜面立て本体部７の一側部に２つの脚取付部１２を設け、譜面立て本体部７の他側部に１つの脚取付部１２を設け、これら３つの脚取付部１２に３本の脚部１３をそれぞれ取り付け、この３本の脚部で譜面立て本体部７を保持するように構成しても良い。
【００３８】
（実施形態３）
次に、図１６〜図１８を参照して、この発明の譜面立てを鍵盤楽器に適用した実施形態３について説明する。この場合には、図６〜図１２に示された実施形態２と同一部分に同一符号を付して説明する。
この譜面立て２１は、譜面立て本体部７の上端部に、楽器挿入孔９から譜面６が抜け落ちるのを防ぐための抜止め板２２を開閉可能に取り付けた構成であり、これ以外は実施形態２とほぼ同じ構成になっている。
【００３９】
すなわち、この抜止め板２２は、譜面立て本体部７とほぼ同じ大きさの平板であり、譜面立て本体部７の上端部に蝶番２３によって回動自在に取り付けられ、この蝶番２３を中心に回動して譜面立て本体部７の背面に配置されたときに、図１６に示すように、譜面立て本体部７の楽器挿入孔９を塞ぎ、また蝶番２３を中心に回動して譜面立て本体部７の背面から離れたときに、図１７に示すように、譜面立て本体部７の楽器挿入孔９を開放するように構成されている。この場合にも、譜面立て本体部７の四隅には、棒状の複数の脚部１３を取り付けるための脚取付部１２が設けられている。
【００４０】
このような譜面立て２１によれば、実施形態２と同様の作用効果があるほか、特に譜面立て本体部７の上端部に、楽器挿入孔９からの譜面６の抜け落ちるのを防ぐための抜止め板２２が、蝶番２３によって回動可能に取り付けられているので、譜面立て本体部７の楽器挿入孔９に楽器ケース１を挿入しやすくするために、楽器挿入孔９を譜面立て本体部７に十分に広く設けても、譜面立て２１を楽器ケース１に取り付けて使用するときに、図１６に示すように、抜止め板２２によって譜面立て本体部７の楽器挿入孔９を塞ぐことができ、これにより譜面６を立て掛けても譜面６が楽器挿入孔９を通して脱落することがなく、良好に譜面６を立て掛けて使用することができる。
【００４１】
また、譜面立て２１として使用しないときには、図１６において蝶番２３を中心に抜止め板２２を回動させて、図１７に示すように、抜止め板２２を譜面立て本体部７の背面から離間させると、譜面立て本体部７の楽器挿入孔９が開放されるので、図１８に示すように、譜面立て本体部７の四隅に設けられた脚取付部１２に脚部１３をそれぞれ取り付け、この複数の脚部１３で譜面立て本体部７をほぼ水平に保持することができ、これにより実施形態２と同様、傘立てのように楽器ケース１を縦長状態に立て掛けることができる。この場合にも、複数の脚部１３で保持された譜面立て本体部７上に楽器ケース１を載置すると、図１２に示したように、演奏するときのスタンドとしても使用することができる。
【００４２】
なお、上記実施形態３では、譜面立て本体部７の上端部に抜止め板２２を蝶番２３で回動可能に取り付けた場合について述べたが、これに限らず、例えば図１９に示す第１変形例のように、複数のリング部材２４で抜止め板２２を譜面立て本体部７の上端部に回動可能に連結した構成でも良い。このように構成しても、実施形態３と同様の作用効果がある。
【００４３】
また、上記実施形態３では、譜面立て本体部７の上端部に譜面立て本体部７の楽器挿入孔９を開閉可能に塞ぐ抜止め板２２を取り付けた場合について述べたが、これに限らず、例えば図２０（ａ）および図２０（ｂ）に示す第２変形例のように、譜面立て本体部７の下部前面に、楽器挿入孔９から譜面６が抜け落ちるのを防ぐための２本の抜止め棒２５を回動可能に取り付けた構成でも良い。
【００４４】
すなわち、この２本の抜止め棒２５は、図２０（ｂ）に示すように、譜面立て本体部７の楽器挿入孔９の下辺から上辺に跨って架け渡される帯板状のものであり、譜面立て本体部７の下部前面の中間で２本の抜止め棒２５の両端部を重ね合わせ、この重ね合わせた部分を取付軸２６で譜面立て本体部７の下部に回転自在に取り付けた構成になっている。この場合、譜面立て本体部７における楽器挿入孔９の両側上部には、弾性係止部２７がそれぞれ設けられている。
【００４５】
この弾性係止部２７は、譜面立て本体部７の表裏面方向（厚み方向）に弾性変形するものであり、２本の抜止め棒２５が取付軸２６を中心に回転して、２本の抜止め棒２５の先端が当接したときに、譜面立て本体部７の厚み方向に弾性変形し、２本の抜止め棒２５の先端が弾性係止部２７を乗り越えると、図２０（ｂ）に示すように、弾性係止部２７が弾性復帰して、２本の抜止め棒２５の先端を係脱可能に係止するように構成されている。
【００４６】
このような抜止め棒２５を用いた譜面立て２１においても、譜面立て本体部７の楽器挿入孔９に楽器ケース１を挿入しやすくするために、楽器挿入孔９を譜面立て本体部７に十分に広く設けても、譜面立て２１を楽器ケース１に取り付けて使用するときに、図２０（ｂ）に示すように、抜止め棒２５を譜面立て本体部７の楽器挿入孔９の下辺から上辺に跨って架け渡すことができ、これにより譜面６を立て掛けても譜面６が楽器挿入孔９を通して脱落するのを防ぐことができ、良好に譜面６を立て掛けて使用することができる。
【００４７】
また、譜面立て２１として使用しないときには、取付軸２６を中心に抜止め棒２５を回動させて、図２０（ａ）に示すように、抜止め棒２５を譜面立て本体部７の楽器挿入孔９から離間させると、譜面立て本体部７の楽器挿入孔９が開放されるので、実施形態３と同様、譜面立て４の譜面立て本体部７の四隅に設けられた脚取付部１２に脚部１３をそれぞれ取り付け、この複数の脚部１３で譜面立て本体部７をほぼ水平に保持することができ、これにより傘立てのように楽器ケース１を縦長状態に立て掛けることができる。この場合にも、複数の脚部１３で保持された譜面立て本体部７上に楽器ケース１を載置すると、図１２に示したように、演奏するときのスタンドとしても使用することができる。
【００４８】
なおまた、上記実施形態１〜３およびその各変形例では、譜面立て本体部７に楽器挿入孔９を単に設けた場合について述べたが、これに限らず、例えば楽器挿入孔９の縁部にゴムなどの緩衝部材を設けることが望ましい。このように構成すれば、楽器挿入孔９の縁部が楽器ケース１の表面に直接接触せず、ゴムなどの緩衝部材が楽器ケース１の表面に接触するので、楽器ケース１の表面に傷が付かないようにすることができる。
【００４９】
（実施形態４）
次に、図２１〜図２６を参照して、この発明の譜面立てを鍵盤楽器に適用した実施形態４について説明する。この場合には、図１〜図５に示された実施形態１と同一部分に同一符号を付して説明する。
この譜面立て３１は、譜面立て本体部７に楽器挿入孔９を設けずに、譜面立て本体部７の前面に複数の嵌合突起部３２を設けると共に、楽器ケース１の背面に譜面立て本体部７の嵌合突起部３２が嵌合する複数の嵌合凹部３３を設け、さらに譜面立て本体部７の後面に複数の脚凸部３４を設けた構成であり、これ以外は実施形態１とほぼ同じ構成になっている。
【００５０】
すなわち、譜面立て本体部７の嵌合突起部３２は、図２１および図２２に示すように、断面が矩形状に形成され、譜面立て本体部７の前面における上部側と下部側とに位置した状態で、譜面立て本体部７の左右の両端部に亘って互いに平行に連続して設けられている。楽器ケース１の嵌合凹部３３は、図２４に示すように、譜面立て本体部７の嵌合突起部３２が嵌合する断面矩形状の溝であり、楽器ケース１の背面における中間部分の上部側と下部側とに互いに平行に設けられている。また、譜面立て本体部７の脚凸部３４は、ゴムなどの緩衝材からなり、図２３に示すように、２つの帯板部３４ａの中間にそれぞれ幅広部３４ｂが設けられた構成で、譜面立て本体部７の後面における上部側と下部側とにそれぞれ嵌合突起部３２と対応して設けられている。
【００５１】
このような譜面立て３１によれば、図２１に示すように、譜面立て取付部８の取付突起部８ｂを楽器ケース１の取付凹部５に着脱可能に挿入して譜面立て本体部７を楽器ケース１上に起立させると、実施形態１と同様、起立した譜面立て本体部７に譜面６を立て掛けることができる。また、演奏しないときには、譜面立て取付部８を楽器ケース１の取付凹部５から抜き出して、譜面立て３１を楽器ケース１から取り外し、図２５に示すように、譜面立て本体部７の前面に設けられた嵌合突起部３２を、楽器ケース１の背面に設けられた嵌合凹部３３に着脱可能に嵌合させることにより、図２６に示すように、譜面立て本体部７を楽器収納時の台座として活用することができる。
【００５２】
すなわち、図２４に示す楽器ケース１の嵌合凹部３３に、図２５に示すように、譜面立て本体部７の嵌合突起部３２を嵌合させると、譜面立て本体部７が楽器ケース１の台座として使用することができる。このときには、譜面立て本体部７の後面を床などの載置面に配置すると、図２６に示すように、楽器ケース１を横長状態で立て掛けることができ、これにより譜面立て３１を紛失するのを防ぐことができると共に、楽器ケース１の不用意な転倒をも防ぐことができるので、楽器ケース１を安定させた状態で押し入れなどに収納することができる。
【００５３】
この場合、譜面立て本体部７の後面には、複数の脚凸部３４が設けられているので、譜面立て本体部７の嵌合突起部３２を楽器ケース１の嵌合凹部３３に嵌合させて、譜面立て本体部７を楽器ケース１の台座として使用するときに、図２５に示すように、譜面立て本体部７の後面に設けられた複数の脚凸部３４を床などの載置面に配置して、譜面立て本体部７を載置面上に安定させて配置することができる。このときには、特に脚凸部３４が、ゴムなどの緩衝材からなり、帯板部３４ａの中間に幅広部３４ｂを設けた構成であるから、脚凸部３４を載置面上に配置したときに、幅広部３４ｂによって譜面立て本体部７を安定させて保持することができ、より一層、楽器ケース１を横長状態で安定させて立て掛けることができる。
【００５４】
なお、上記実施形態４では、楽器ケース１の背面に２つの嵌合凹部３３を互いに平行に設けた場合について述べたが、これに限らず、例えば図２７〜図２９に示す変形例のように譜面立て４１を構成しても良い。この場合には、楽器ケース１の背面側に位置する上下面に、それぞれ嵌合凹部４３を互いに平行な状態で楽器ケース１の左右の両端部に連続させて設け、譜面立て本体部７の前面に、楽器ケース１の各嵌合凹部４３に対応する一対の嵌合支持部４２を設ければ良い。
【００５５】
すなわち、この一対の嵌合支持部４２は、図２９に示すように、楽器ケース１の背面の厚みに対応する間隔で設けられた一対の支持突起部４２ａと、この一対の支持突起部４２ａの各先端部に設けられて楽器ケース１の上下面に設けられた嵌合凹部４３に嵌合する一対の嵌合突起部４２ｂとで構成されている。この一対の嵌合支持部４２は、楽器ケース１の一端部側から一対の支持突起部４２ａの間に楽器ケース１の背面を差込むと共に、一対の嵌合突起部４２ｂを楽器ケース１の上下面の各嵌合凹部４３に嵌合させて、図２７に示すように、楽器ケース１の中間部にスライドするように構成されている。
【００５６】
これにより、譜面立て４１は、図２７に示すように、一対の嵌合支持部４２の各支持突起部４２ａで楽器ケース１の背面を挟み付けた状態で、一対の嵌合突起部４２ｂが楽器ケース１の上下面の各嵌合凹部４３に嵌合することにより、図２８に示すように、楽器ケース１を一対の嵌合支持部４２で確実に保持することができるので、実施形態４よりも確実に楽器ケース１を横長状態に保持することができ、このため実施形態４よりも確実に楽器ケース１を安定させた状態で立てることができる。
【００５７】
なおまた、上記実施形態４では、譜面立て本体部７の後面に２つの帯板状の脚凸部３４を設けたが、必ずしも２つの帯板状の脚凸部３４を設ける必要はなく、譜面立て本体部７の四隅に脚凸部を設けた構成でも良く、また必ずしも譜面立て本体部７の後面に脚凸部を設ける必要もなく、譜面立て本体部７の後面を載置面に直接接触させて配置しても良い。さらに、上記実施形態４では、譜面立て本体部７の前面に嵌合突起部３２（または一対の嵌合支持部４２）を設けたが、これに限らず、例えば譜面立て本体部７の後面に嵌合突起部３２（または一対の嵌合支持部４２）を設けた構成でも良い。
【００５８】
（実施形態５）
次に、図３０〜図３２を参照して、この発明の譜面立てを鍵盤楽器に適用した実施形態５について説明する。この場合には、図２１〜図２６に示された実施形態４と同一部分に同一符号を付して説明する。
この譜面立て５１は、譜面立て本体部７に楽器ケース１を立て掛けるための支持部材５２を折り畳み可能に設けた構成であり、これ以外は実施形態４とほぼ同じ構成になっている。
【００５９】
すなわち、この支持部材５２は、図３０に示すように、譜面立て本体部７のほぼ半分の大きさの第１、第２平板５３、５４を備え、第１平板５３の上端部が譜面立て本体部７の上端部に第１蝶番５５によって回動自在に取り付けられ、図３２に示すように、第２平板５４の上端部が第１平板５３の下端部（図３２では上端部）に第２蝶番５６によって回動自在に取り付けられた構成になっている。
【００６０】
これにより、この支持部材５２は、図３０に示すように、第１、第２蝶番５５、５６を中心に第１、第２平板５３、５４が平坦な状態になると、譜面立て本体部７の前面に重なり、図３１および図３２に示すように、第１、第２蝶番５５、５６を中心に第１、第２平板５３、５４がそれぞれ回動作して三角形状に折り曲げられると、譜面立て本体部７の前面に三角形状に起立するように構成されている。
【００６１】
この場合、譜面立て本体部７の前面には、楽器ケース１の背面に設けられた嵌合凹部５７に嵌合する嵌合突起部３２が設けられている。このため、支持部材５２の第２平板５４の裏面には、譜面立て本体部７の嵌合突起部３２が挿入する収納凹部５８が設けられている。また、この第２平板５４の下端部には、図３１および図３２に示すように、係止突起５９が設けられており、譜面立て本体部７の前面には第２平板５４の係止突起５９が係脱可能に係合する係止溝６０が設けられている。
【００６２】
このような譜面立て５１によれば、図３０に示すように、支持部材５２の第１、第２平板５３、５４を平坦状にして譜面立て本体部７の前面に重ねることができ、この状態で譜面立て取付部８の取付突起部８ｂを楽器ケース１の取付凹部５に着脱可能に挿入させて、譜面立て本体部７を楽器ケース１上に起立させると、この起立した譜面立て本体部７の前面に配置された支持部材５２に譜面６を立て掛けることができる。
【００６３】
また、演奏しないときには、譜面立て取付部８の取付突起部８ｂを楽器ケース１の取付凹部５から抜き出して、譜面立て５１を楽器ケース１から取り外し、図３１および図３２に示すように、譜面立て本体部７の前面に支持部材５２の第１、第２平板５３、５４を三角形状に折り曲げて起立させることにより、譜面立て本体部７を楽器収納時の台座として活用することができる。
【００６４】
すなわち、支持部材５２の第１、第２蝶番５５、５６を中心に第１、第２平板５３、５４をそれぞれ回動させて三角形状に折り曲げた上、第２平板の係止突起５９を譜面立て本体部７の係止溝６０に係合させると、図３１および図３２に示すように、譜面立て本体部７の前面に第１、第２平板５３、５４が三角形状に起立する。この状態で、譜面立て本体部７の嵌合突起部３２を楽器ケース１の背面の嵌合凹部５７に嵌合させると、三角形状に折り曲げられた支持部材５２によって楽器ケース１を立て掛けた状態で支持することができる。
【００６５】
このため、譜面立て本体部７の後面に設けられた脚凸部３４を床などの載置面に配置すると、実施形態４と同様、楽器ケース１を横長状態で立て掛けることができ、これにより譜面立て５１を紛失するのを防ぐことができると共に、楽器ケース１の不用意な転倒をも防ぐことができるので、楽器ケース１を安定させた状態で押し入れなどに収納することができる。
【００６６】
この場合には、特に譜面立て本体部７に支持部材５２が折り畳み可能に取り付けられているので、楽器ケース１の嵌合凹部５７に対する譜面立て本体部７の嵌合突起部３２の嵌合状態が不充分であっても、譜面立て本体部７上に起立した三角形状の支持部材５２で楽器ケース１を譜面立て本体部７上に横長状態で安定させて立て掛けることができる。また、譜面立て５１として使用するときには、支持部材５２を平坦状にして譜面立て本体部７の前面に密着させて配置することができるので、この平坦状の支持部材５２に譜面６を立て掛けることができ、これにより支持部材５２を設けても、邪魔にならず、コンパクトに使用することがきる。
【００６７】
なお、上記実施形態１〜５およびその各変形例では、楽器として鍵盤楽器に適用した場合について述べたが、必ずしも鍵盤楽器である必要はなく、琴などの弦楽器や木琴などの打楽器など、横長形状の楽器に広く適用することができる。
【図面の簡単な説明】
【００６８】
【図１】この発明の譜面立てを鍵盤楽器に適用した斜視図である。（実施形態１）
【図２】図１の鍵盤楽器の斜視図である。
【図３】図１の譜面立ての斜視図である。
【図４】図３の譜面立ての楽器挿入孔に楽器ケースを挿入させて横長状態に寝かして配置した状態を示した斜視図である。
【図５】図４の状態で楽器ケースを横長状態で立て掛けた状態を示した斜視図である。
【図６】この発明の譜面立てを鍵盤楽器に適用した斜視図である。（実施形態２）
【図７】図６の譜面立てを示した斜視図である。
【図８】図７の譜面立てに脚部を取り付ける状態を示した要部の分解斜視図である。
【図９】図８の譜面立てに脚部を取り付けた状態を示した斜視図である。
【図１０】図６の鍵盤楽器を下面側から見た斜視図である。
【図１１】図９の譜面立てに楽器ケースを縦長状態で立て掛けた状態を示した斜視図である。
【図１２】図９の譜面立てに楽器ケースを載せてスタンドとして使用した状態を示した斜視図である。
【図１３】実施形態２の譜面立てを２枚用いた場合の変形例を示した斜視図である。
【図１４】図１３の譜面立てに楽器ケースを縦長状態で立て掛けた状態を示した斜視図である。
【図１５】図１３の譜面立てに楽器ケースを載せてスタンドとして使用した状態を示した斜視図である。
【図１６】この発明の譜面立てを示した斜視図である。（実施形態３）
【図１７】図１６の譜面立てに取り付けられた抜止め板を回動させて開いた状態を示した斜視図である。
【図１８】図１７の譜面立てに複数の脚部を取り付けて楽器ケースを縦長状態で立て掛けた状態を示した斜視図である。
【図１９】実施形態３の第１変形例を示した側面図である。
【図２０】実施形態３の第２変形例を示し、（ａ）は譜面立ての楽器挿入孔を開放した状態を示した斜視図、（ｂ）は譜面立ての楽器挿入孔に抜止め棒を架け渡した状態を示した斜視図である。
【図２１】この発明の譜面立てを鍵盤楽器に適用した斜視図である。（実施形態４）
【図２２】図２１の譜面立てを示した斜視図である。
【図２３】図２２の譜面立てを背面側から見た斜視図である。
【図２４】図２１の楽器ケースの背面図である。
【図２５】図２４の楽器ケースの背面に譜面立てを取り付けた状態を示した背面図である。
【図２６】図２５の楽器ケースを縦長状態で立て掛けた状態を示した斜視図である。
【図２７】実施形態４の変形例の譜面立てを楽器ケースに取り付けた状態を示した斜視図である。
【図２８】図２７の状態で楽器ケースを横長状態で立て掛けた状態の側面図である。
【図２９】図２７の分解斜視図である。
【図３０】この発明の譜面立てを示した斜視図である。（実施形態５）
【図３１】図３０の譜面立てにおいて支持部材を起立させた状態を示した斜視図である。
【図３２】図３１の譜面立てにおいて楽器ケースを横長状態で立て掛けた状態の断面図である。
【符号の説明】
【００６９】
１  楽器ケース
４、１１、２１、３１、４１、５１  譜面立て
５  取付凹部
６  譜面
７  譜面立て本体部
８  譜面立て取付部
９  楽器挿入孔
１２  脚取付部
１３  脚部
２２  抜止め板
２５  抜止め棒
３２  嵌合突起部
３３、４３、５７  嵌合凹部
３４  脚凸部
４２  嵌合支持部
４２ａ  支持突起部
４２ｂ  嵌合突起部
５２  支持部材
５３、５４  第１、第２平板
５９  係止突起
６０  係止溝
【図１】
2008040047.tif 000003
【図２】
2008040047.tif 000004
【図３】
2008040047.tif 000005
【図４】
2008040047.tif 000006
【図５】
2008040047.tif 000007
【図６】
2008040047.tif 000008
【図７】
2008040047.tif 000009
【図８】
2008040047.tif 000010
【図９】
2008040047.tif 000011
【図１０】
2008040047.tif 000012
【図１１】
2008040047.tif 000013
【図１２】
2008040047.tif 000014
【図１３】
2008040047.tif 000015
【図１４】
2008040047.tif 000016
【図１５】
2008040047.tif 000017
【図１６】
2008040047.tif 000018
【図１７】
2008040047.tif 000019
【図１８】
2008040047.tif 000020
【図１９】
2008040047.tif 000021
【図２０】
2008040047.tif 000022
【図２１】
2008040047.tif 000023
【図２２】
2008040047.tif 000024
【図２３】
2008040047.tif 000025
【図２４】
2008040047.tif 000026
【図２５】
2008040047.tif 000027
【図２６】
2008040047.tif 000028
【図２７】
2008040047.tif 000029
【図２８】
2008040047.tif 000030
【図２９】
2008040047.tif 000031
【図３０】
2008040047.tif 000032
【図３１】
2008040047.tif 000033
【図３２】
2008040047.tif 000034